(57)【特許請求の範囲】
【請求項１】
物品を収納する前面開口の収納庫本体と、前記収納庫本体を塞ぐ内扉及び外扉とを備えており、前記外扉は水平回動式であって施錠手段として電気錠を備えている一方、前記内扉は本体の内部に押し込み格納される方式であって施錠手段としてキーで解錠操作される機械錠を設けている、
保管庫。
【発明の詳細な説明】
【技術分野】
【０００１】
本願発明は、劇薬や麻薬のような危険物、或いは貴重品のように取り扱いに注意を要する物品を保管するのに好適な保管庫（収納装置）に関するものである。
【背景技術】
【０００２】
劇薬や麻薬のような危険物は厳重に管理する必要がある。そこで、特許文献１には、ＩＤカードを使用して解錠する電気錠方式の薬品保管庫が開示されている。また、二重扉方式の保管箱としては例えば特許文献２が挙げられ、この特許文献２では内外の扉とも機械錠（シリンダ錠）で施錠されるようになっている。
【特許文献１】特開２００２−２５５３１３号公報
【特許文献２】特許第３１０１０１８号公報
【発明の開示】
【発明が解決しようとする課題】
【０００３】
劇薬や麻薬等の危険物を厳重に管理する場合、厳重性には２つの側面がある。１つは、人が物品を簡単には取り出せないようにすることであり、他の１つは、誰が取り出したか使用者の履歴を残すことである。前者の側面は二重扉にして各扉に錠を設けることが有効であり、後者の側面は、特許文献１のように電気錠方式として解施錠をコンピュータで管理することが有効である。
【０００４】
しかし、電気錠と機械錠とのうちいずれか一方のみによる施錠方式では、必ずしも管理が万全とは言い難い。すなわち、電気錠のみでは、例えばＩＤカードを不正使用された場合に対処できず、また、機械錠ではキーを不正使用された場合に対処できない。
【０００５】
本願発明は、このよう現状を改善することを課題とするものである。
【課題を解決するための手段】
【０００６】
本願発明の保管庫は、物品を収納する前面開口の収納庫本体と、前記収納庫本体を塞ぐ内扉及び外扉とを備えており、前記外扉は水平回動式であって施錠手段として電気錠を備えている一方、前記内扉は本体の内部に押し込み格納される方式であって施錠手段としてキーで解錠操作される機械錠を設けている。
【０００７】
【発明の効果】
【０００８】
本願発明では、電気錠と機械錠とを併用しているため、例えばＩＤカードのみやキーのみを紛失しても不正に使用されることを防止できると共に、キーを管理者のみが持つというダブルチェック方式を採用することにより、正規職員であっても物品を簡単には取り出せなくするというように、物品が不正に取り出されることを防止する機能を格段に向上することができる。かつ、外扉の施錠方式を電気錠としているため、履歴の管理をコンピュータで自動的に行ったり解施錠を遠隔的に行ったりすることが可能になって、管理も確実化・厳重化することができる。
【０００９】
内外の扉を例えば水平回動式とすることも可能であるが、請求項１のように内扉を本体の内部に押し込み格納する方式を採用すると、物品の出し入れに際して内扉が邪魔にならない利点がある。また、内外の扉とも水平回動式にすると、収納空間の間口が内扉の厚さ分だけ狭くなるが、内扉を跳ね上げ又は下向き回動させてから本体内部に押し込む方式にすると、収納空間の間口が狭くなることはないため、スペースを有効利用できる利点がある。
【００１０】
更に、保管庫を設けている部屋に管理者がいると共に使用者が顔見知りである場合のように、管理を必ずしも厳重に行う必要がなくて使用履歴だけを残せば良い場合があるが、この場合、請求項２のように構成すると、内扉は解錠しておいて内部に押し込んでおき、外扉だけを使用することにより、いちいち内扉を開閉する手間を省いて物品の出し入れを容易ならしめることができる。
【発明を実施するための最良の形態】
【００１１】
次に、本願発明の実施形態を図面に基づいて説明する。
【００１２】
(1).第１実施形態（図１〜図６）
図１〜図６では第１実施形態を示している。図１は収納設備の斜視図であり、本実施形態の保管庫１は、多数のキャビネットを有するユニット方式の収納設備の一部に組み込まれている。本実施形態の保管庫１は、床に設置された引き出し方式の第１キャビネット２の上に設置されており、保管庫１の上には水平回動扉方式の第２キャビネット３が載っている。
【００１３】
また、第１キャビネット２の側方（左側）には、当該第１キャビネット２と同じ高さの門形の支持枠４が配置されており、支持枠４には、第２キャビネット２の上面と同じ高さで水平回動扉方式の第３キャビネット５が複数台（２台）並設されている。支持枠４で囲われた内部はワゴン６の格納スペースになっており、支持枠４の前面上部には、跳ね上げ回動式のゲート７を設けている。
【００１４】
収納設備の左右両側には、キャビネット２，３，５や保管庫１よりも奥行き寸法が大きい側板８を配置している。これは、ワゴン６の奥行きがキャビネット２，３，５の奥行きより大きいためである。いうまでもないが、保管庫１は収納設備に組み込む必要はないし、また、収納設備に組み込む場合、収納設備にワゴン６の格納スペースを設ける必要はない。
【００１５】
次に、図２以下の図面も参照して保管庫１の詳細を説明する。図２は開扉状態の保管庫１を中心にして見た斜視図、図３のうち（Ａ）は保管庫１の平断面図、（Ｂ）は（Ａ）の部分拡大図、図４は図３（Ａ）のIV−IV視断面図、図５は図４の V-V視断面図、図６は図４のVI−VI視断面図である。
【００１６】
本実施形態の保管庫１は金属板製（スチール製）で外箱９と内箱１０とで構成されている。外箱９は第１キャビネット２及び第２キャビネット３と同じ横幅であり、左右側板、天板、底板、背板を備えている。また、外箱９の内部は内箱収納部１５と制御機器収納部１６とに左右に仕切られており（仕切り板を符号２２で示す）、内箱収納部１５の開口部は水平回動式の１枚の外扉１７で塞がれ、制御機器収納部１６の開口部は水平回動式の点検扉１８で塞がれている。
【００１７】
図３（Ａ）に示すように、外扉１７及び点検扉１８とも、外箱９の上下両端に設けたヒンジ片１９にピンで取付けられている（勿論、他の枢支方法でもよい）。外扉１７及び点検扉１８とも、外箱９の上框及び下框の前面に重なるようになっている。
【００１８】
外扉１７は金属体製であり、自由端部には引手２０を設けている。詳細は省略するが、外扉１７の自由端部には、引手片の回動操作によって回転する上下長手のラッチ杆が配置されており、ラッチ杆の上下両端にラッチ爪２１（図４参照）を設けている。ラッチ爪２１はばねで外箱９の係合穴に係合する方向に付勢されており、外扉１７を閉じるとラッチ爪２１が外箱９の係合穴に嵌まり込む。
【００１９】
図３（Ｂ）に示すように、外扉１７の自由端部の裏側に形成した折り曲げ片１７ａには、電気錠２３の閂杆２４が係脱する係合穴２５が空いている。電気錠２３は例えば電磁ソレイドで駆動されるのもので、本実施形態では、閂杆２４は前後長手の軸心回りに回転することにより、外扉１７の係合穴２５に係脱するようになっている。いうまでもないが、閂杆２４は回転方式には限らず、回動方式等の他のロック構造を採用できる。
【００２０】
図２及び図３（Ｂ）に示すように、引手２０の下方には、停電等によって電気錠２３を使用できなくなったり電気錠が故障したりしたときに使用する非常用機械錠２６を設けている。非常用機械錠２６の側方には、施錠状態を視認するための覗き穴１７ｂが空いている。覗き穴１７ｂから、電気錠２３に設けたダイオードランプ（図示せず）の光を視認することにより、電気錠２３の施錠状態を視認することができる。外扉１７の裏面のうち覗き穴１７ｂの箇所には、ＬＥＤランプの光を視認しやすくするため、光拡散部材１７ｃを設けている。
【００２１】
図２に示すように、点検扉１８には、ＩＤカードに記録されている情報を読み取るリーダー２７を設けている。リーダー２７は接触式と非接触式とのいずれも使用できる。リーダー２７に加えて、液晶方式等の表示部を設けても良い。点検扉１８には施錠手段として、キーで解錠されるシリンダ錠２８を設けている。図３（Ｂ）に示すように、シリンダ錠２８の閂杆２８ａは仕切り板２２に設けた係合穴２９に係脱するようになっている。
【００２２】
制御機器収納部１６の内部には、制御ユニット３０を配置している。このように、保管庫１に制御ユニット３０を内蔵する（換言すると、保管庫１に制御機器収納部１６を一体化する）と、制御装置付きの保管庫１でありながら全体としてコンパクト化できると共に、保管庫１の設置作業を簡単に行える利点がある。制御ユニット３０には電源用や信号用のケーブル３１が接続されているが、これらケーブルの余長部分は制御機器収納部１６に格納できるため、ケーブル３１が床等にはみ出ることを防止して美麗に処理できる利点がある。なお、図３（Ａ）に符号３２で示すのはケーブル挿通穴である。制御ユニット３０は施設（例えば病院）のホストコンピュータに接続されている。
【００２３】
内箱１０は左右側板と天板と底板と背面板とを備えており、前面の開口部には金属板製の内扉３８を配置している。図４〜６に示すように、内箱１０の左右両内側面の上部には前後長手のレール３９が配置されており、このレール３９に合成樹脂製のスライダー４０を前後スライド自在に装着し、スライダー４０に設けた金属板製のヒンジ片４１に左右長手の枢支ピン４２によって内扉３８の上部を取付けている。従って、内扉３８は枢支ピン４２を中心にして水平姿勢まで跳ね上げ回動させることができると共に、水平姿勢のままで内箱１０の内部に押し込み格納することができる。
【００２４】
敢えて述べるまでもないが、内扉３８はその左右両側部がレール３９の上面に重なることによって前後スライドする（スライドをスムースに行うため、内扉３８には樹脂製の接触子を設けている）。本実施形態のレール３９は内箱１０の内面に向けてコ字状に形成されているが、他の断面形状でもよい。また、樹脂製のスライダーに代えてコロを使用することも可能である。
【００２５】
図４に示すように、内扉３８の自由端部には樹脂製の縁部材４３を装着している。また、内箱１０の下框４４には、機械錠の一例としてのシリンダ錠４５を取り付けており、内扉３８の縁部材には、シリンダ錠４５の閂杆４６が係脱する係合溝４７を形成している。なお、シリンダ錠４５を内扉３８に設けることも可能である。内扉３８の自由端部には、引手穴又は把手を設けている。
【００２６】
以上の構成において、ＩＤカードによって電気錠２３を解錠してから外扉１７を開け、次いで、キーで内箱１０のシリンダ錠４５を解錠してから内扉３８を開けることにより、格納されている劇薬等の物品４８を取り出すことができる。使用履歴は制御ユニット３０に設けている（又は外部のコンピュータ）記憶装置に記録される。
【００２７】
物品４８は内箱１０に直接置くこともあるが、トレー４９（図４参照）を使用することも多い。そして、本実施形態では内扉３８を開けると内箱１０の前面はフルに開口するため、トレー４９は内箱１０の間口寸法とほぼ同じであっても容易に出し入れすることができる。
【００２８】
本実施形態のように、保管庫１の横幅を他のキャビネットの横幅に揃えてユニット方式にしておくと、各種のキャビネットと組み合わせて様々な収納設備を構成できるため、使い勝手が良い利点がある。
【００２９】
(2).他の実施形態（図７）
図７では他の実施形態を示している。このうち（Ａ）に示す第２実施形態では、内箱１０の下部に内扉３８を水平姿勢で押し込み格納できる中空部が形成されている。
【００３０】
第１実施形態は保管庫１を外箱９と内扉３８とで構成していたが、図７（Ｂ）に示す第３実施形態では、保管庫１は単一構造になっており、これに水平回動式の外扉１７と跳ね上げ式の内扉３８とを設けている。図７の各例においても、外扉は電気錠で施錠され、内扉はシリンダ錠によって施錠される。
【００３１】
(3).その他
本願発明は上記の実施形態の他にも様々に具体化することができる。例えば、外扉を水平回動式にするにおいては、片開き方式に限らず両開き方式（観音開き方式）とすることも可能である。また、ＩＤカードの読み取り部は外扉に設けてもよい。更に、内扉をシャッター方式にすることも可能である。
【図面の簡単な説明】
【００３２】
【図１】実施形態の保管庫の設置状態を示す斜視図である。
【図２】開扉状態の保管庫を中心にして見た斜視図である。
【図３】(A) は保管庫の平断面図、(B) は(A) の部分拡大図である。
【図４】図３（Ａ）のIV−IV視断面図である。
【図５】図４の V-V視断面図である。
【図６】図４のVI−VI視断面図である。
【図７】第２〜第３実施形態を示す図である。
【符号の説明】
【００３３】
１  保管庫
９  外箱
１０  内箱
１５  内箱収納部
１６  制御機器収納部
１７  外扉
２３  電気錠
２７  カードリーダー
３８  内扉
３９  レール
４０  スライダー
４５  シリンダ錠
【図１】
0004638778.tif 000002
【図２】
0004638778.tif 000003
【図３】
0004638778.tif 000004
【図４】
0004638778.tif 000005
【図５】
0004638778.tif 000006
【図６】
0004638778.tif 000007
【図７】
0004638778.tif 000008